(57)【特許請求の範囲】
【請求項１】
原稿を支持するための原稿台と、
該原稿台上に支持された原稿の画像を走査するための原稿走査手段と、
上記原稿台上に支持された原稿のサイズを検出するための原稿サイズ検出手段と、
上記原稿サイズ検出手段により検出された原稿サイズに応じて、上記原稿走査手段による走査領域を確定する原稿走査領域確定手段とからなる画像形成装置であって、
上記原稿サイズ検出手段において検出不可の特定サイズの原稿が、上記原稿台上に支持されていることを指示するための特定サイズ原稿指示手段と、
上記原稿走査手段により走査された原稿の画像を電子画像データとして読み取るための電子画像読取手段と、
上記特定サイズ原稿指示手段により特定サイズの原稿が原稿台上に支持されていることが指示されると、上記電子画像読取手段により読み取られた画像データを特定の画像データとして画像処理する特定画像処理モードを実行する画像データ処理手段と、
上記画像データ処理手段による処理が特定画像処理モードにあることを表示する表示手段とを備えており、
上記特定画像処理モードにて機能し得る固有の機能を使用可能とするとともに、上記原稿走査領域確定手段は、上記特定サイズ原稿指示手段により特定サイズの原稿が支持されていることが指示されると、上記原稿走査手段の走査領域を所定の領域に確定することを特徴とする画像形成装置。
【発明の詳細な説明】
【０００１】
【発明の属する技術分野】
本発明は、原稿を支持するための原稿台と、該原稿台上に支持された原稿の画像を走査するための原稿走査手段と、上記原稿台上に支持された原稿のサイズを検出するための原稿サイズ検出手段と、上記原稿サイズ検出手段により検出された原稿サイズに応じて、上記原稿走査手段による走査領域を確定する原稿走査領域確定手段とからなるスキャナ，プリンタ，複写機等の画像形成装置に関するものである。
【０００２】
【従来の技術】
従来の画像形成装置である複写機は、原稿台上にセットされた原稿の画像を読み取るために画像走査装置（スキャナ）が搭載されており、この原稿台にセットされた原稿の大きさ（サイズ）を判別する原稿サイズ検出装置が備えられている。
【０００３】
そして、この原稿サイズ検出装置により検出された原稿サイズに応じて原稿のスキャナユニットによる走査範囲を確定して無駄な領域の走査を抑えるようになっている。
さらに、この原稿サイズ検出装置により検出された原稿サイズと、所望する大きさ（サイズ）の用紙を指示すれば、自動的に複写倍率を確定して適切な大きさの画像に変換して再現するようになっている。
【０００４】
この原稿サイズ検出装置、並びにこの検出部により得られた原稿サイズ情報に基づいて原稿を走査する範囲を制御することが特開平８−３０１４８号公報に記載されている。
【０００５】
【発明が解決しようとする課題】
ところで、このような原稿サイズ検出装置においても検出できない原稿が存在する。
とくに最近では、カラーの画像を形成可能なカラー複写機が普及しており、今までの白黒の複写機と利用される環境が変わったり、また、利用される範囲も拡大されることで、結果としてあらゆる形態（大きさ）の原稿が複写機にセットされるようになってきている。
【０００６】
そのために、全ての原稿サイズに対応して原稿サイズを検出するために、原稿サイズ検出装置のセンサを配置するとなると、今まで以上のセンサの数が必要となり、製品組み立て時の作業数が増加して生産コストが高くなるとともに、製品の部品コストも高くなるという問題があった。
【０００７】
そこで、本発明は、原稿サイズ検出のための原稿サイズ検出手段のセンサの数をむやみに増加させることなく、特定の小さなサイズの原稿（写真等）に対して確実な走査を行い、用紙上に原稿の画像を記録再現することのできる画像形成装置を提供することを目的とするものである。
【０００８】
【課題を解決するための手段】
上記の目的を達成するために本発明の画像形成装置は、原稿を支持するための原稿台と、該原稿台上に支持された原稿の画像を走査するための原稿走査手段と、上記原稿台上に支持された原稿のサイズを検出するための原稿サイズ検出手段と、上記原稿サイズ検出手段により検出された原稿サイズに応じて、上記原稿走査手段による走査領域を確定する原稿走査領域確定手段とからなる画像形成装置であって、上記原稿サイズ検出手段において検出不可の特定サイズの原稿が、上記原稿台上に支持されていることを指示するための特定サイズ原稿指示手段と、上記原稿走査手段により走査された原稿の画像を電子画像データとして読み取るための電子画像読取手段と、上記特定サイズ原稿指示手段により特定サイズの原稿が原稿台上に支持されていることが指示されると、上記電子画像読取手段により読み取られた画像データを特定の画像データとして画像処理する特定画像処理モードを実行する画像データ処理手段と、上記画像データ処理手段による処理が特定画像処理モードにあることを表示する表示手段とを備えており、上記特定画像処理モードにて機能し得る固有の機能を使用可能とするとともに、上記原稿走査領域確定手段は、上記特定サイズ原稿指示手段により特定サイズの原稿が支持されていることが指示されると、上記原稿走査手段の走査領域を所定の領域に確定する。
【００１８】
【発明の実施の形態】
本発明の画像形成装置であるデジタルカラー複写機の構成を図１とともに説明する。
図１は、デジタルカラー複写機の実施形態の正面断面図である。
【００１９】
複写機本体１の上面には、原稿台１１１及び操作パネルが設けられているとともに、原稿台１１１の上面には当該原稿台１１１に対して開閉可能な状態で支持され、原稿台１１１面に対して所定の位置関係をもって自動原稿送り装置１１２が装着されている。
さらに、この複写機本体１の内部には画像読み取り部１１０及び画像形成部２１０が構成されている。
【００２０】
まず、複写機本体１の上面において原稿台１１１上に装着された自動原稿送り装置１１２は、両面原稿に対応した両面自動原稿送り装置であって、原稿の一方の面が原稿台１１１の所定位置において対向するように原稿を搬送し、この一方の面についての画像読み取りが終了した後に、他方の面が原稿台１１１の所定位置において対向するよう原稿を反転して原稿台１１１に向かって搬送する。
【００２１】
そして、１枚の原稿について、両面の画像読み取りが終了した後にこの原稿を排出し、次の原稿においての両面搬送動作を実行する。なお、以上の原稿の搬送及び表裏反転の動作は複写機全体の動作に関連して制御されるものである。
【００２２】
また、両面自動原稿送り装置１１２により原稿台１１１上に搬送されてきた原稿の画像を読み取るために、原稿台１１１の下方には該原稿台１１１の下面に沿って平行に往復移動する原稿走査体が配置されている。
【００２３】
この原稿走査体は原稿画像面を露光する露光ランプと原稿からの反射光像を所定の方向に向かって偏向する第１ミラーとからなる原稿台１１１下面において一定の距離を保ちながら所定の走査速度で平行往復移動する第１の走査ユニット１１３と、第１の走査ユニット１１３の第１ミラーにより偏向された原稿からの反射光像をさらに所定の方向に向かって偏向する第２，第３ミラーからなる第１の走査ユニット１１３と一定の速度関係をもって平行往復移動する第２の走査ユニット１１４と、第２の走査ユニット１１４の第３ミラーにより偏向された原稿からの反射光像を縮小して所定の位置に光像を結像させる光学レンズ１１５と、光学レンズ１１５により縮小された光像が結像された光像を順次光電変換して原稿からの反射光像を電気信号として出力する光電変換素子１１６とから構成されている。
この光電変換素子１１６により電気信号に変換された原稿画像情報は、さらに後述する画像処理部に転送され画像データとして所定の処理が施される。
【００２４】
両面自動原稿送り装置を使用しないで原稿画像処理をする場合、直接原稿台１１１に原稿をセットして原稿走査を行うが、このとき、原稿サイズを自動で読み取るための原稿検知ユニット１２０が設置されており、原稿検知ユニット１２０は発光部１２１と受光部１２２に分かれて設置されている。
これにより、原稿検知ユニット１２０が検知でき得る特定サイズの原稿を認識することができる。
【００２５】
次に、複写本体１の下部側に位置する画像形成部２１０について説明する。図１に示す画像形成部２１０内の下側には、給紙機構２１１が設けられており、用紙トレイ内に積載収容されている用紙を１枚ずつ分離して記録部側に向かって供給する。
【００２６】
そして、１枚ずつ分離供給された用紙は、画像形成部２１０の手前に配置されたレジストローラ対２１２によりタイミングが制御されて搬送され、画像形成部２１０とタイミングをとって再供給搬送される。
【００２７】
上記画像形成部２１０の下方には、略平行にのびた転写搬送ベルト２１３が配置されており、駆動ローラ２１４と従動ローラ２１５などの複数のローラ間に張架された転写搬送ベルト２１６に用紙を静電吸着させて搬送する構成となっている。
【００２８】
さらに、転写搬送ベルト２１３の下流側には用紙上に転写形成されたトナー像を用紙上に定着させるための定着装置２１７が配置されており、この定着装置２１７の定着ローラニップ間を通過した用紙は搬送方向切り換えゲート２１８を経て排出ローラ２１９により装置外壁に取り付けられている排紙トレイ２２０上に排出される。
【００２９】
なお、搬送方向切り換えゲート２１８は定着後の用紙を複写機外へと排出するが、再び、画像形成部２１０に向かって再供給するか選択的に用紙の搬送経路を切り換えるものであって、この切り換えゲート２１８により再び画像形成部２１０に向かって搬送方向を切り換えられた用紙は、スイッチバック搬送経路２２１を介して表裏反転の後、画像形成部２１０へと再度供給される。
【００３０】
また、駆動ローラ２１４と従動ローラ２１５等により略平行に張架された転写搬送ベルト２１６の上側には、該転写搬送ベルト２１６に近接して搬送経路上流側から順に第１，第２，第３，第４の画像形成ステーションＰａ，Ｐｂ，Ｐｃ，Ｐｄが並設されている。
【００３１】
そして、転写搬送ベルト２１６は駆動ローラ２１４によって、図１において矢印Ｚで示す方向に摩擦駆動され、前にも述べたように上記給紙機構２１１を通じて給送される用紙を担持し、上述した画像形成ステーションＰａ，Ｐｂ，Ｐｃ，Ｐｄへと順次搬送する。
【００３２】
各画像形成ステーションＰａ，Ｐｂ，Ｐｃ，Ｐｄは実質的に同一の構成を有し、図１に示す矢印Ｆ方向に回転駆動される感光体ドラム２２２ａ，２２２ｂ，２２２ｃ，２２２ｄを含み、各感光体ドラム２２２の周辺には、感光体ドラム２２２２２２ａ，２２２ｂ，２２２ｃ，２２２ｄを一様に帯電する帯電器２２３ａ，２２３ｂ，２２３ｃ，２２３ｄと、感光体ドラム２２２上に形成された静電潛像を現像する現像装置２２４ａ，２２４ｂ，２２４ｃ，２２４ｄと、現像されたトナー像を用紙へ転写する転写用放電器２２５ａ，２２５ｂ，２２５ｃ，２２５ｄと、感光体ドラム２２２上に残留するトナーを除去するクリーニング手段２２６ａ，２２６ｂ，２２６ｃ，２２６ｄが感光体ドラム２２２の回転方向に沿って順次配置されている。
【００３３】
また、各感光体ドラム２２２ａ，２２２ｂ，２２２ｃ，２２２ｄの上方には、画像データに応じて変調されたドット光を発する半導体レーザ素子と、半導体レーザ素子からの光を主走査方向に偏向させるための偏向装置と、偏向装置により偏向されたレーザ光を感光体ドラム２２２表面に結像させるためのｆθレンズ等から構成されるレーザビームスキャナユニット２２７ａ，２２７ｂ，２２７ｃ，２２７ｄが夫々設けられている。
【００３４】
レーザビームスキャナユニット２２７ａにはカラー原稿画像のイエロー成分像に対応する画素信号が、レーザビームスキャナユニット２２７ｂにはカラー原稿画像のマゼンタ成分像に対応する画素信号が、レーザビームスキャナユニット２２７ｃにはカラー原稿画像のシアン成分像に対応する画素信号が、レーザビームスキャナユニット２２７ｄにはカラー原稿画像のブラック成分像に対応する画素信号が夫々入力される。
【００３５】
これにより、各感光体ドラム２２２上には色変換された原稿画像情報に対する静電潛像が形成され、現像装置２２７ａにはイエロー色のトナーが、現像装置２２７ｂにはマゼンタ色のトナーが、現像装置２２７ａにはシアン色のトナーが、現像装置２２７ｂにはブラック色のトナーが夫々収容されているので、各画像形成ステーションＰａ，Ｐｂ，Ｐｃ，Ｐｄにおいて色変換された原稿画像情報が各色のトナー像として再現される。
【００３６】
また、第１の画像形成ステーションＰａと給紙機構２１１との間には用紙吸着用（ブラシ）帯電器２２８が設けられており、この用紙吸着用帯電器２２８は転写搬送ベルト２１６の表面を帯電させ、給紙機構２１１から供給される用紙を転写搬送ベルト２１６上に確実に吸着させた状態で第１の画像形成ステーションＰａから第４の画像形成ステーションＰｄの間をずれることなく搬送される。
【００３７】
一方、第４の画像形成ステーションＰｄと定着装置２１７との間で駆動ローラ２１４のほぼ真上部には除電器（図示せず）が設けられており、この除電器には転写搬送ベルト２１６に静電吸着されている用紙を分離するための交流電流が印加されている。
【００３８】
上記構成のデジタルカラー複写機において、用紙としてカットシート状のものが使用され、この用紙が給紙カセットから送り出されて給紙機構２１１の給紙搬送経路のガイド内に供給されると、その用紙の先端部分が上述のセンサにて検知され、このセンサから出力される検知信号によって一旦用紙はレジストローラ対２１２により停止する。
そして、各画像形成ステーションＰａ，Ｐｂ，Ｐｃ，Ｐｄとタイミングをとって図１の矢印Ｚ方向に回転している転写搬送ベルト２１６側に送られる。
【００３９】
このとき、先に述べた用紙吸着用帯電器２２８により転写搬送ベルト２１６は所定の帯電が施されるので、各画像形成ステーションＰａ，Ｐｂ，Ｐｃ，Ｐｄを通過する間、安定して搬送供給されることとなる。
【００４０】
各画像形成ステーションＰａ，Ｐｂ，Ｐｃ，Ｐｄにおいては、各色のトナー像が上記構成により夫々形成され、転写搬送ベルト２１６により静電吸着搬送される用紙の支持面上に重ね合わされ、第４の画像形成ステーションＰｄによる画像の転写が完了すると、用紙の先端部分から除電器により転写搬送ベルト２１６上から剥離された定着装置２１７へと導かれる。そして、最後にトナー画像が定着された用紙は用紙排出口から排紙トレイ２２０上へと排出される。
【００４１】
（画像処理部の回路説明）
次にデジタルカラー複写機に搭載されているカラー画像情報の画像処理部の構成及び機能を説明する。
【００４２】
図２はデジタルカラー複写機に含まれている画像処理部のブロック構成図である。
【００４３】
このデジタルカラー複写機に含まれている画像処理部は、画像データ入力部４０、画像処理部４１、画像データ出力部４２、ハードディスク装置もしくはＲＡＭ（ランダムアクセスメモリ）等から構成される画像メモリ４３、中央処理ユニット（ＣＰＵ）４４、画像編集部４５、及び外部インターフェイス部４６から構成されている。
【００４４】
画像データ入力部４０は、カラー原稿画像を読み取りＹＭＣの色成分に色分解したラインデータを出力することのできる３ラインのカラーＣＣＤ４０ａ、カラーＣＣＤ４０ａにて読み取られたラインデータのライン画像レベルを補正するシェーディング補正回路４０ｂ、３ラインのカラーＣＣＤ４０ａにて読み取られた画像ラインデータのずれを補正するラインバッファ等のライン合わせ部４０ｃ、３ラインのカラーＣＣＤ４０ａから出力される各色のラインデータの色データを補正するセンサ色補正部４０ｄ、各画素の信号の変化にめりはりを持たせるよう補正するＭＴＦ補正部４０ｅ、画像の明暗を補正して視感度補正を行うγ補正部４０ｆなどからなる。
【００４５】
画像処理部４１は、画像データ入力部４０あるいは後述する外部インターフェイス部４６を介して入力されるカラー画像信号の色再現域を記録装置におけるカラートナーによる色再現域に補正する色空間補正回路４１ａ、及び、入力される画像データＲＧＢ信号を記録装置の各記録部に対応したＹＭＣ信号に変換するマスキング回路４１ｂ、画像データ入力部４０あるいは後述する外部インターフェイス部４６を介して入力されるカラー画像のＲＧＢ信号から黒成分を検出する黒検出回路４１ｃ、マスキング回路４１ｂから出力されるＹＭＣ信号に基づいて黒検出を行う下色除去処理と黒検出回路４１ｃから出力される黒成分信号を添加する黒添加処理を行う下色除去・黒添加回路（ＵＣＲ・ＢＰ）４１ｄ、濃度変換テーブルに基づいてカラー画像信号の濃度を調整する濃度処理回路４１ｅ、設定されている倍率に基づいて入力された画像情報を倍率変換する変倍処理回路４１ｆ、並びに入力画像データから画像情報中の文字・写真・網点領域を検出して領域分離するとともに画像の出力パターンを決定する分離・スクリーン回路４１ｇなどからなっている。
【００４６】
画像データ出力部４２は各色の画像データに基づいてパルス幅変調を行うレーザコントロールユニット（ＬＳＵ）４２ａ、レーザコントロールユニット４２ａから出力される各色の画像信号に応じたパルス幅変調信号に基づいてレーザ記録を行う各色のレーザスキャナユニット４２ａ，４２ｂ，４２ｃ，４２ｄからなる。
【００４７】
画像メモリ４３は画像処理部４１からシリアル出力される８ビット４色（３２ビット）の画像データを順次受け取り、バッファに一時的に蓄えながら３２ビットのデータから８ビット４色の画像データに変換して４基のハードディスクに分割管理させるためにパラレル出力するハードディスクコントロールユニット４３ａと、８ビット４色の画像データを色毎に画像データとして記憶管理する４基のハードディスク（回転記憶媒体）４３ｂ，４３ｃ，４３ｄ，４３ｅからなる。
【００４８】
中央処理ユニット（ＣＰＵ）４４は、画像データ入力部４０、画像処理部４１、画像データ出力部４２、画像メモリ４３、さらに、後述する画像編集部４５、及び外部インターフェイス部４６を所定のシーケンスに基づいてコントロールするものである。
【００４９】
また、画像編集部４５は、画像データ入力部４０、画像処理部４１、あるいは後述する外部インターフェイス部４６を経て一旦画像メモリ４３に記憶された画像データに対して所定の画像編集を施すためのものである。
【００５０】
さらに、外部インターフェイス部４６は、デジタルカラー複写機とは別に設けられた外部の画像入力処理装置からの画像データを受け入れるための通信インターフェイス手段である。
【００５１】
なお、この外部インターフェイス部４６から入力される画像データも、一旦画像処理部４１に入力して色空間補正などを行うことでデジタルカラー複写機の画像記録部２１０で取り扱うことのできるデータレベルに変換してハードディスク４３ｂ，４３ｃ，４３ｄ，４３ｅに記録管理されることとなる。
【００５２】
（デジタルカラー複写機全体の制御構成の説明）
図３はデジタルカラー複写機の装置全体の各部を制御する中央処理ユニット（ＣＰＵ）４４を含む制御回路のブロック図である。。
【００５３】
画像データ入力部４０、画像処理部４１、画像データ出力部４２、画像メモリ４３、及び中央処理ユニット（ＣＰＵ）４４は図２と重複するので詳細な説明は省略する。
【００５４】
中央処理ユニット（ＣＰＵ）４４は、ＲＡＤＦ２−１、スキャナ部、レーザプリンタ部などデジタルカラー複写機を構成する各駆動機構部をシーケンス制御により管理するとともに、各部へ制御信号を出力している。
【００５５】
さらには、中央処理ユニット（ＣＰＵ）４４には、操作パネルからなる操作基板ユニット４７が相互通信可能な状態で接続されており、操作者が設定入力した複写モードに応じて制御信号を中央処理ユニット（ＣＰＵ）４４に転送してデジタルカラー複写機をモードに応じて動作させるようになっている。
【００５６】
また、中央処理ユニット（ＣＰＵ）４４からはデジタルカラー複写機の動作状態を示す制御信号を操作基板ユニット４７へと転送して、操作基板ユニット４７側ではこの制御信号により装置が現在どのような状態にあるのか操作者に示すように表示部等により動作状態を表示するようになっている。
【００５７】
４６は画像情報、及び画像制御信号等他のデジタル画像機器との情報通信を可能にするために設けられた外部インターフェース部である。
【００５８】
４８は複写機の各部にあるセンサ等からの信号が入力されるセンサ入力部である。原稿検知ユニット１２０から得られる原稿サイズ情報もこのセンサ入力部４８から得られ、これにより中央処理ユニット（ＣＰＵ）４４が各負荷の制御を行う。
【００５９】
（操作パネルの説明）
図４は、デジタルカラー複写機における操作パネルを表した平面図である。
【００６０】
この操作パネルの中央部分には、タッチパネル液晶表示装置６が配置されていて、その周囲に各種モード設定キー群が配置されている。
【００６１】
このタッチパネル液晶表示装置６の画面上には、常時画像編集機能を選択するための画面に切り換える画面切り換え指示エリアがあって、このエリアを指で直接押圧操作すると各種画像編集機能が選択できるように液晶画面上に各種編集機能が一覧表示される。
その表示された各種編集機能の中から、操作者が所望する機能が表示されている領域を指で触れることにより編集機能が設定される。
【００６２】
上記操作パネル上に配置された各種設定キー群について簡単に説明すると、７はタッチパネル液晶表示装置６の画面の明るさを調整するダイヤルである。
８は倍率を自動的に選択させるモードを設定する倍率自動設定キー、９は複写倍率を１％きざみで設定するためのズームキー、１０と１１は固定倍率を読み出して選択するための固定倍率キー、１２は複写倍率を標準倍率（等倍）に戻すための等倍キーである。
【００６３】
１３はコピー濃度調整を自動から手段または写真モードへと切り換えるための濃度切り換えキー、１４は手動モードまたは写真モードの時に濃度レベルを細かく設定するための濃度調整キー、１５は複写機の給紙部にセットされている用紙サイズの中から希望する用紙サイズを選択するためのトレイ選択キーである。
【００６４】
１６は複写枚数の設定するための枚数設定キー、１７は複写枚数をクリアしたり、連続コピーを途中で止める時に操作するクリアキー、１８はコピーの開始を指示するためのスタートキー、１９は現在設定されているモードの全てを解除して標準状態に復帰させるための全解除キー、２０は連続コピー中に別の原稿に対するコピーを行いたい時に操作する割り込みキー、２１は複写機の操作が分からない時に操作することで複写機の操作方法をメッセージ表示するための操作ガイドキー、２２は操作ガイドキー２１の操作により表示されたメッセージの続きを表示させるためのメッセージ順送りキーである。
【００６５】
２３は両面複写モードを設定するための両面モード設定キー、２４は複写機から排出される複写物を仕分けるための後処理装置の動作モードを設定するための後処理モード設定キーである。
２５〜２７は、プリンタモード、ファクシミリモードに関する設定キーであり、２５は送信原稿を一旦メモリに蓄えてから送信するメモリ送信モードキー、２６はデジタル複写機のモードをコピーとファックス、プリンタの間で切り換えるためのコピー／ファックス・プリンタモード切り換えキー、２７は送信先電話番号を予め記憶させておき送信時にワンタッチ操作で送信先に電話を発信させるためのワンタッチダイヤルキーである。
【００６６】
今回提示した操作パネル及びその操作パネル上に配置される各種キーは、あくまで１例であり、デジタルカラー複写機に搭載される各種機能により操作パネル上に設けられるキーは異なってくることはいうまでもない。
【００６７】
（原稿検知の構成説明）
図５及び図６は原稿検知ユニット１２０の原稿検知の構成を示したものであり、発光部１２１には、Ｂ５の用紙を検知するためのＢ５用発光センサ１２１ａ、Ａ４の用紙を検知するためのＡ４用発光センサ１２１ｂ、Ｂ４の用紙を検知するためのＢ４用発光センサ１２１ｃ、Ａ３の用紙を検知するためのＡ３用発光センサ１２１ｄが夫々配置され、受光部１２２には、Ｂ５の用紙を検知するためのＢ５用受光センサ１２２ａ、Ａ４の用紙を検知するためのＡ４用受光センサ１２２ｂ、Ｂ４の用紙を検知するためのＢ４用受光センサ１２２ｃ、Ａ３の用紙を検知するためのＡ３用受光センサ１２２ｄが夫々配置されている。
【００６８】
各センサ１２１，１２２は発光センサ１２１からの発光される光が各サイズの用紙を原稿台１１１の基準端（図５において左端）に先端を揃えてセットした時の用紙後端内側近傍で図５の一点鎖線で示す用紙の中心部分を横切り対応した受光センサ１２２で受光されるように配設されている。
【００６９】
そして、各発光センサ１２１と各受光センサ１２２との間に用紙が位置し光が遮断され、対応する場所の受光センサ１２２は光を受光しなくなる。この検知信号に基づいて用紙のサイズを検知している。
例えば、Ｂ５サイズの用紙の場合は、Ｂ５用受光センサ１２２ａのみ発光センサ１２１からの光を受光せず、他の受光センサ１２２ｂ，１２２ｃ，１２２ｄは光を受光しているので、原稿台１１１にセットされている用紙はＢ５サイズの用紙であると判断し、Ａ４サイズの用紙の場合は、Ｂ５用受光センサ１２２ａ，Ａ４用１２２ｂが光を受光せず、残りのＢ４用受光センサ１２２ｃ，Ａ３用１２２ｄは光を受光しているので、原稿台１１１にセットされている用紙はＢ５サイズの用紙であると判断する。
【００７０】
次に、本発明のデジタルカラー複写機に係わる参考例１の動作を、図７のフローチャート及び図８，図９のタッチパネル液晶表示装置６の表示例（１），（２）とともに説明する。
【００７１】
まず、初期設定後（Ｓ１）、原稿台１１１に原稿がセットされている否か原稿がセットされている場合にはその原稿のサイズを検知し（Ｓ２）、検知していなければ原稿台１１１に任意の原稿のセットを促す画面表示を行い（Ｓ３）、ユーザーにより原稿のセットが行われ、オリジナルカバー（ＯＣ）または両面自動原稿送り装置１１２が閉じられたことを検知すると（Ｓ４）、再度原稿検知を行い（Ｓ５）、原稿の原稿台１１１へのセット状態を再度確認する。
原稿がセットされていると、複写機はコピー可能状態となり、タッチパネル液晶表示装置６がコピー開始画面（図８（ｃ））に移行する（Ｓ６）。
【００７２】
Ｓ２において原稿が検知されていた場合であっても、ユーザーが原稿検知されていないサイズの原稿を指示するセット済みキーである図８（ａ）の「小サイズ原稿」キーを入力することができ、この「小サイズ原稿」キーの入力がない場合はそのままＳ６へ移行し、「小サイズ原稿」キーが入力されると、原稿検知データをリセットし確認されていた原稿サイズ情報を無効にする（Ｓ８）。
【００７３】
また、Ｓ５により原稿検知できなければ、「小サイズ原稿」キーからの入力待ち状態となり（Ｓ９）、オリジナルカバーまたは両面自動原稿送り装置１１２が開けられたら（Ｓ１０）、Ｓ３に戻り原稿のセットからやり直す。
【００７４】
「小サイズ原稿」キーが押されたら原稿検知できない小サイズ原稿のコピーモードとして処理を開始する。
まず、小サイズ原稿コピーを表示し（Ｓ１１）、続いて、小サイズ原稿の特定を行うかを判定し（Ｓ１２）、選択する場合は、特定サイズが入力されることでこの旨を認識し（Ｓ１３）、図４のタッチパネル液晶表示装置６に特定サイズ表示を行う（Ｓ１４）。
原稿のサイズが判別されることで複写機はＡＰＳ機能（自動用紙選択機能）により特定サイズに適したサイズの用紙を自動選択する（Ｓ１５）。
【００７５】
また、小サイズ原稿の特定サイズ原稿の選択をしない場合は、ＡＭＳ機能（自動倍率設定機能）を解除する（Ｓ１６）。
そして、設定用紙が複写機本体にあるか否かを確認し（Ｓ１７）、用紙があれば設定用紙サイズをタッチパネル液晶表示装置６に表示し（Ｓ１８）、Ｓ６に移行する。
【００７６】
用紙がない場合は２通りの制御が可能となる。第１は、用紙なしのメッセージを出力し（Ｓ１９）、用紙補給後（Ｓ２０）設定用紙サイズを表示しＳ１８に移行する。第２は、複写機本体にセットされているコピー用紙のなかで設定された原稿サイズに最も近いサイズの用紙を自動選択し（Ｓ２１）、設定用紙サイズをタッチパネル液晶表示装置６に表示しＳ１８に移行する。コピーが開始されると前述までに設定された原稿サイズにあわせて所定領域のみ原稿操作処理動作を実行し（Ｓ２２）コピー動作を終了する。コピーが終了すれば（Ｓ２３）動作完了となる。
【００７７】
上記のＳ１２〜Ｓ１５により特定サイズ原稿が指定されることでＳ２２の走査処理動作で特定サイズ原稿の走査領域のみ走査ユニット１１３が走査実行する。図８（ａ）は原稿検知ユニット１２０の原稿検知にて原稿サイズがまだ判明していない状態を示しており、この時に「小サイズ原稿」を押すことで原稿検知できないサイズの原稿をセットしたことを認識させる。図８（ｂ）により小サイズ原稿の種類を選択させることで小サイズ原稿サイズを認識し、図８（ｃ）のコピー可能画面に移行する。
上記のＳ１４により特定サイズ原稿をタッチパネル液晶表示装置６に表示することで実現している。図８（ｃ）には小サイズ原稿の種類を表示している。
【００７８】
上記のＳ７，Ｓ８によりセット済みキーである図９（ａ）の「小サイズ原稿」キーが押されることで原稿検知データを無効にすることで実現している。図９（ａ）にて原稿が例えばＡ４サイズであると認識しているが、「小サイズ原稿」キーを押すことで原稿検知データは無効となり、図８（ｂ）以降の表示となる。
【００７９】
上記のＳ７，Ｓ８により「小サイズ原稿」キーが押されることで原稿検知データを無効にした後、Ｓ２２にて指示された原稿の情報により走査制御を行う。
【００８０】
上記のＳ１１，Ｓ１２により特定サイズ原稿の選択をしないことにより、原稿のサイズは特定は行われないが、原稿検知ができない小サイズ原稿と判定されるため、Ｓ２２にて原稿検知ができる最小サイズ原稿の走査領域で走査処理をすることで実現している。図９（ｂ）では小サイズ原稿として複写機側は認識している。
Ｓ１１にて小サイズ原稿として判定し、表示を行う。
【００８１】
上記のＳ１５にて小サイズ原稿として判定された原稿に対して、複写機本体が設定でき得るサイズの中で小サイズ原稿用に指定された用紙を自動設定する。
図９（ｂ）では、複写機が仕様として用意できる用紙サイズ（例えば、Ｂ５縦、Ａ４縦、Ｂ４，Ａ３の４種類）にて最適サイズとしてＢ５縦を選択したことをタッチパネル液晶表示装置６にて表示する。
【００８２】
上記のＳ１９，Ｓ２０により自動設定された所定の用紙（Ｂ５縦）がない場合には、用紙なしのメッセージの表示を行い、用紙の補給をユーザーに促す。
【００８３】
上記のＳ２１により複写機本体が有する用紙の中で、所定のサイズ原稿のコピーを取るのに最適なサイズを選択している。
図９（ｃ）では、複写機の仕様として用意できる用紙サイズ（例えば、Ｂ５縦、Ａ４縦、Ｂ４、Ａ３の４種類）で最適サイズであるＢ５縦の用紙がなかった場合に、用紙サイズを再選択しその用紙サイズを表示している。
【００８４】
上記のＳ１２，Ｓ１６により特定サイズ原稿の選択を行わないことにより、原稿のサイズは特定できないが、原稿検知ができないので小サイズ原稿であると判定され、ＡＭＳ機能（自動倍率設定機能）を解除する。
【００８５】
次に、本発明のデジタルカラー複写機に係わる参考例２の動作を図１０のフローチャート及び図８，図９のタッチパネル液晶表示装置６の表示例（１），（２）とともに説明する。
【００８６】
まず、初期設定後（Ｓ３１）、原稿台１１１に原稿がセットされている否か原稿がセットされている場合にはその原稿のサイズを検知し（Ｓ３２）、検知していなければ原稿台１１１に任意の原稿のセットを促す画面表示（図８（ａ））を行い（Ｓ３３）、ユーザーにより原稿のセットが行われ、オリジナルカバー（ＯＣ）または両面自動原稿送り装置１１２が閉じられたことを検知すると（Ｓ３４）、原稿有無センサによる原稿の有無を検知する（Ｓ３５）。
【００８７】
原稿がセットされていない場合は、Ｓ３３（図８（ａ））に戻り原稿のセットを促す。
原稿がセットされていると検知すると、再度原稿サイズ検知を行い（Ｓ３６）、原稿の原稿台１１１へのセット状態を再度確認する。
原稿がセットされていると、複写機はコピー可能状態となり、タッチパネル液晶表示装置６がコピー開始画面に移行する（Ｓ３７）。
【００８８】
Ｓ３５で原稿を検知し、Ｓ３６で原稿サイズ検知が行われなければ、小サイズ原稿がセットされていると判定され小サイズモードの表示（図８（ｃ））を行う（Ｓ３８）。そして、小サイズ原稿のサイズ選択（Ｓ３９）を実行し、サイズが特定されると（Ｓ４０）特定サイズの表示を行い（Ｓ４１）、特定サイズ原稿による最適なサイズの用紙を自動設定し（Ｓ４２）、設定用紙サイズを表示後（Ｓ４３）Ｓ７へ移行しコピー開始画面に移行する。
【００８９】
コピーが開始されると前述までに設定された原稿サイズに併せて所定領域のみ原稿走査処理動作を実行し（Ｓ４４）コピー動作処理を行う。コピーが終了すれば（Ｓ４５）動作が完了する。
【００９０】
次に、本発明のデジタルカラー複写機の実施形態１の動作を図１１のフローチャート及び図１２のタッチパネル液晶表示装置６の表示例（３）とともに説明する。
【００９１】
まず、初期設定後（Ｓ５１）、原稿台１１１に原稿がセットされている否か原稿がセットされている場合にはその原稿のサイズを検知し（Ｓ５２）、検知していなければ原稿台１１１に任意の原稿のセットを促す画面表示を行い（Ｓ５３）、ユーザーにより原稿のセットが行われ、オリジナルカバー（ＯＣ）または両面自動原稿送り装置１１２が閉じられたことを検知すると、再度原稿サイズ検知を行い（Ｓ５５）、原稿の原稿台１１１へのセット状態を再度確認する。
原稿がセットされていると、複写機はコピー可能状態となり、タッチパネル液晶表示装置６がコピー開始画面に移行する（Ｓ５６）。
【００９２】
Ｓ５２において原稿が検知されていた場合であっても、ユーザーが原稿検知されていないサイズの原稿を指示するセット済みキーである「小サイズ原稿」キーを入力することができ（Ｓ５７）、この「小サイズ原稿」キーの入力がない場合はそのままＳ５６へ移行し、「小サイズ原稿」キーが入力されると、原稿検知データをリセットし確認されていた原稿サイズ情報を無効にする（Ｓ５８）。
【００９３】
また、Ｓ５５により原稿検知できなければ、「小サイズ原稿」キーからの入力待ち状態となり（Ｓ５９）、オリジナルカバーまたは両面自動原稿送り装置が開けられたら（Ｓ６０）、Ｓ５３に戻り原稿のセットからやり直す。
【００９４】
「小サイズ原稿」キーが押されたら原稿検知できない小サイズ原稿のコピーモードとして処理を開始すると同時に特定画像処理モードとしても機能を開始する。
まず、小サイズ原稿は特定画像処理を行うモードに固定し（Ｓ６１）、特定画像処理モードにあることをタッチパネル液晶表示装置６に表示し（Ｓ６２）、さらに、この特定画像処理モードで機能し得る固有の機能も同時に表示する（Ｓ６３）。
【００９５】
固有機能の設定を行う場合（Ｓ６４）は所定のキーを押すことで機能設定が完了され（Ｓ６５）コピー開始画面に移行する。コピーが開始されると特定画像モードを再確認して（Ｓ６６）モード設定されていれば、特定画像処理部による画像処理を実行し（Ｓ６７）、コピー動作に移行する。前述までに設定された原稿サイズにあわせて所定領域のみ原稿走査処理動作を実行し（Ｓ６８）、コピー動作を処理する。コピーが終了すれば（Ｓ６９）動作が完了となる。
【００９６】
上記のＳ１１〜Ｓ１３により判定された原稿が小サイズ原稿であると同時に特定画像処理で処理すべき原稿と判定している。図８（ａ）により小サイズ原稿を指示することで、ダイレクトに図１２（ａ）の写真コピーのサイズ選択画面に移行し小サイズの原稿のサイズを認識させるとともに、通常の画像処理から写真をより奇麗にコピーできるように異なる画像処理方法に同時に移行する。
上記のＳ１２により特定画像処理モード処理されていることを表示する。
【００９７】
上記のＳ１３〜Ｓ１５により固有機能の設定を可能にする。
図１２（ｂ）により、例えば写真のコピー可能画面のみ写真コピーで有効となる固有機能として焼き増し機能なる機能を使用可能としている。
尚、焼き増し機能とはセットされた写真原稿に対してコピー用紙１枚当たりにできるだけ多くの枚数分をコピーし得る機能である。
【００９８】
【発明の効果】
本発明の画像形成装置によれば、検出できない小さな原稿が原稿台上にセットされていることが指示されると、電子画像読取手段により読み取られた原稿画像の画像データを特定の画像データとして画像処理する特定画像処理モードを実行するので、特定サイズの原稿画像を自動的に原稿にあった画像処理を行うことができる。また、特定画像処理モードにて機能し得る固有の機能を使用可能とするので、ユーザーにより固有機能の設定操作手順を容易にすることができる。
【図面の簡単な説明】
【図１】本発明の画像形成装置であるデジタルカラー複写機の実施形態の全体構造を示す正面断面図である。
【図２】本発明のデジタルカラー複写機に含まれている画像処理部のブロック構成図である。
【図３】本発明のデジタルカラー複写機の装置全体の各部を制御する中央処理回路を含む制御回路のブロック図である。
【図４】本発明のデジタルカラー複写機における操作パネルを示した平面図である。
【図５】本発明のデジタルカラー複写機の原稿検知ユニット部分を示した平面図である。
【図６】図５の断面図である。
【図７】本発明のデジタルカラー複写機に係わる参考例１の動作を示すフローチャートである。
【図８】本発明のタッチパネル液晶表示装置の表示例（１）を示し、（ａ）は原稿未検知時での原稿セット画面を示す説明図、（ｂ）は小サイズ原稿の特定サイズ選択画面を示す説明図、（ｃ）は小サイズ原稿確定後のコピー可能画面を示す説明図である。
【図９】本発明のタッチパネル液晶表示装置の表示例（２）を示し、（ａ）は原稿検知（Ａ４）データがある場合の画面を示す説明図、（ｂ）は小サイズ原稿のサイズを特定しない場合のコピー可能用紙最適サイズ自動選択時の画面を示す説明図、（ｃ）は最適サイズの用紙がない場合での自動用紙再選択時の画面を示す説明図である。
【図１０】本発明のデジタルカラー複写機に係わる参考例２の動作を示すフローチャートである。
【図１１】本発明のデジタルカラー複写機の実施形態１の動作を示すフローチャートである。
【図１２】本発明のタッチパネル液晶表示装置の表示例（３）を示し、（ａ）は特定画像処理モード（写真）でのサイズ選択の画面を示す説明図、（ｂ）は特定画像処理モードでのコピー可能画面（固有機能表示有）を示す説明図である。
【符号の説明】
１  複写機本体
４０  画像データ入力部
４１  画像処理部
４２  画像データ出力部
４３  画像メモリ
４４  中央制御回路
４５  画像編集部
４６  外部インターフェース部
４８  各センサ入力部
【図１】
0003592067.tif 000002
【図２】
0003592067.tif 000003
【図３】
0003592067.tif 000004
【図４】
0003592067.tif 000005
【図５】
0003592067.tif 000006
【図６】
0003592067.tif 000007
【図７】
0003592067.tif 000008
【図８】
0003592067.tif 000009
【図９】
0003592067.tif 000010
【図１０】
0003592067.tif 000011
【図１１】
0003592067.tif 000012
【図１２】
0003592067.tif 000013